(57)【要約】【課題】ボールを容易に取り出し、戻すことのできるビリヤード用のボールマーカーを提供する。【解決手段】本発明のボールマーカーは、ビリヤードのボールをマーキングするためのボールマーカーである。本発明のボールマーカーは、底部と傾斜部を有する。底部は、テーブルベッドに接触させる。傾斜部は、底部に固定され、ボールに接触させる。傾斜部のボールが接触する範囲は線状であり、ボールと２か所で接触する。傾斜部は、ボールマーカーをテーブルベッドに置いたときに、テーブルベッドに垂直な方向よりも、所定の角度の範囲で底部側に傾斜している。本発明のビリヤード用のボールマーカーによれば、ボールと接触する傾斜部が所定の角度の範囲で底部側に傾斜しているので、垂直な方向よりも傾斜部方向に傾いた方向にボールを取出すことができる。【選択図】図１
2017185124.tif 000002
【特許請求の範囲】
【請求項１】
ビリヤードのボールをマーキングするためのボールマーカーであって、
テーブルベッドに接触させる底部と、
前記底部に固定され、前記ボールに接触させる傾斜部
を有し、
前記傾斜部の前記ボールが接触する範囲は線状であり、
前記傾斜部は前記ボールと２か所で接触し、
前記傾斜部は、当該ボールマーカーをテーブルベッドに置いたときに、前記テーブルベッドに垂直な方向よりも、所定の角度の範囲で前記底部側に傾斜している
ことを特徴とするボールマーカー。
【請求項２】
請求項１記載のボールマーカーであって、
前記傾斜部は、一端が前記底部に固定された同一平面上の２本の棒で構成されている
ことを特徴とするボールマーカー。
【請求項３】
請求項２記載のボールマーカーであって、
前記２本の棒は、前記底部と反対側の端で繋がっている
ことを特徴とするボールマーカー。
【請求項４】
請求項１から３のいずれかに記載のボールマーカーであって、
前記傾斜部は、前記テーブルベッドに垂直な方向よりも前記傾斜部側に３０度以上傾いた方向に前記ボールを取出すことができるように傾斜している
ことを特徴とするボールマーカー。
【請求項５】
ビリヤードのボールをマーキングするためのボールマーカーであって、
テーブルベッドに接触させる底部と、
一端が前記底部に固定された平行な２本の棒で構成された傾斜部
を有し、
当該ボールマーカーをテーブルベッドに置いたときに、前記２本の棒は、前記テーブルベッドに垂直な方向よりも３０度以上前記底部側に傾斜している
ことを特徴とするボールマーカー。
【発明の詳細な説明】
【技術分野】
【０００１】
本発明は、ビリヤード競技中にボールの位置をマーキングしてボールを取出し、マーキングした位置にボールを戻す際に使用するビリヤード用のボールマーカーに関する。
【背景技術】
【０００２】
ビリヤード用のボールマーカーとしては、非特許文献１，２に示された物などが知られている。
【先行技術文献】
【非特許文献】
【０００３】
【非特許文献１】On cue, Professional Pool and Snooker Suppliers, “Ball Position Marker” ［平成２８年３月３０日検索］、インターネット<http://snookershop.co.nz/on-cue-shop/ball-position-marker/>．
【非特許文献２】On the hill, “NEWART：ボールマーカーの決定版！ Ultimate ball Marker” ［平成２８年３月３０日検索］、インターネット<http://www.onthehill.jp/archives/4307>．
【発明の概要】
【発明が解決しようとする課題】
【０００４】
しかしながら、非特許文献１のボールマーカーは、ボールの球面に沿う形状の凹部を有しているため、球面の曲率が凹部の曲率と一致しないときには、うまくマーキングできない。また、非特許文献１，２のボールマーカーを使う場合は、ボールをボールマーカーの反対側もしくは真上に移動させることで取出し、反対側もしくは真上からボールを戻す。
【０００５】
図１２は、従来のボールマーカーの課題を説明するための図である。図１２では、ボール８００がクッションゴム９２０の下に潜り込んでいる。また、クッションゴム９２０がテーブルベッド９１０に垂直な方向から３０度傾いている例を示している。図１２（Ａ）はボールマーカー９００に高さがボール８００の半径以上の場合である。この場合は、ボール８００は真上の方向からボール８００を取出さなければならないが、クッションゴム９２０があるので真上に取り出すことも、真上から戻すことも難しい。図１２（Ｂ）はボールマーカー９００の高さがボール８００の半径未満の場合である。この場合は、ボール８００は、ボールマーカー９００との接点における接平面Θとクッションゴム９２０との接点における接平面Κで考える必要がある。接平面Θが角度θだけ傾き、接平面Κは角度κだけ傾いているとすると、θ＜κの場合には図１２（Ａ）と同様にボール８００を取出すこと、戻すことが難しい。なお、ビリヤード用のボールの規格の範囲内ではあるが、ボール８００の半径が小さくなると、θは小さくなり、κは大きくなる。
【０００６】
本発明は、このような状況に鑑みてなされたものであり、ボールを容易に取り出し、戻すことのできるビリヤード用のボールマーカーを提供することを目的とする。
【課題を解決するための手段】
【０００７】
本発明のボールマーカーは、ビリヤードのボールをマーキングするためのボールマーカーである。本発明のボールマーカーは、底部と傾斜部を有する。底部は、テーブルベッドに接触させる。傾斜部は、底部に固定され、ボールに接触させる。傾斜部のボールが接触する範囲は線状であり、ボールと２か所で接触する。傾斜部は、ボールマーカーをテーブルベッドに置いたときに、テーブルベッドに垂直な方向よりも、所定の角度の範囲で底部側に傾斜している。
【発明の効果】
【０００８】
本発明のビリヤード用のボールマーカーによれば、ボールと接触する傾斜部が所定の角度の範囲で底部側に傾斜しているので、垂直な方向よりも傾斜部方向に傾いた方向にボールを取出すことができる。また、垂直な方向よりも傾斜部方向に傾いた方向からボールを戻すこともできる。したがって、ボールがクッションゴムの下に潜り込んでいる場合でも、ボールを取出し、戻すことが容易である。
【図面の簡単な説明】
【０００９】
【図１】実施例１のボールマーカーの形状を示す図。
【図２】実施例１のボールマーカーを使っている様子を示す図。
【図３】実施例１のボールマーカーを使って、クッションゴムの下に潜り込んだボールを取り出す様子を示す図。
【図４】実施例２のボールマーカーの形状を示す図。
【図５】実施例２のボールマーカーを使っている様子を示す図。
【図６】実施例３のボールマーカーの形状を示す図。
【図７】実施例３のボールマーカーを使っている様子を示す図。
【図８】実施例４のボールマーカーの形状を示す図。
【図９】実施例４のボールマーカーを使っている様子を示す図。
【図１０】実施例５のボールマーカーの形状を示す図。
【図１１】実施例５のボールマーカーを使っている様子を示す図。
【図１２】従来のボールマーカーの課題を説明するための図。
【発明を実施するための形態】
【００１０】
以下、本発明の実施の形態について、詳細に説明する。なお、同じ機能を有する構成部には同じ番号を付し、重複説明を省略する。
【実施例１】
【００１１】
図１に実施例１のボールマーカーの形状を、図２に実施例１のボールマーカーを使っている様子を示す。図１（Ａ），図２（Ａ）は平面図、図１（Ｂ），図２（Ｂ）は左側面図、図１（Ｃ），図２（Ｃ）は正面図である。図２ではボールは点線で示している。
【００１２】
ボールマーカー１００は、ビリヤードのボール８００をマーキングするための道具である。ボールマーカー１００は、底部１１０と傾斜部１２０を備える。底部１１０は、テーブルベッド９１０に接触させる構成部である。傾斜部１２０は、底部１１０に固定され、ボール８００に接触させる構成部である。傾斜部１２０のボール８００が接触する範囲は線状であり、ボール８００と２か所で接触する。傾斜部１２０は、ボールマーカー１００をテーブルベッド９１０に置いたときに、テーブルベッド９１０に垂直な方向よりも、所定の角度の範囲で底部１１０側に傾斜している。
【００１３】
図１，２に示したボールマーカー１００の場合は、より具体的には、傾斜部１２０は、一端が底部１１０に固定された平行な２本の棒１２５−１，１２５−２で構成されている。ボールマーカー１００をテーブルベッド９１０に置いたときに、２本の棒１２５−１，１２５−２は、テーブルベッド９１０に垂直な方向（テーブルベッド９１０の面の法線方向）よりも所定の角度の範囲で傾斜している。
【００１４】
ボールマーカー１００は１本の棒の３か所を曲げた形状であり、底部１１０はＶ字である。材質は金属でもプラスチックでも構わないが、重すぎるとボール８００に接触させるときにボール８００が動きやすくなり、軽すぎるとマーキング後にボールマーカー１００が動きやすくなるので、適宜扱いやすい重さにすることが望ましい。金属製にするのであれば、１本の棒を曲げて形成してもよいし、４本の棒を溶接することで形成してもよい。また、プラスチック製にするのであれば、金型を用いて成型すればよい。
【００１５】
傾斜部１２０とボール８００とは、接触点１２１−１，１２１−２の２か所で接触する。ボール８００の位置は、２つの接触点１２１−１，１２１−２とテーブルベッドとの接触点の３点で決まる。ビリヤード用のボールの規格の範囲内ではあるが、ボール８００の大きさによって接触点１２１−１、１２１−２の位置はある程度変化する。図１のＴで示した範囲は、接触点となり得る範囲（ボール８００が接触する範囲）を含んだ範囲である。なお、ボール８００が接触する範囲を線状にしておけば、ボール８００の接触点における接平面の傾きは、ボール８００の大きさによらず同じである。
【００１６】
図３に実施例１のボールマーカーを使って、クッションゴムの下に潜り込んだボールを取り出す様子を示す。図３の例ではクッションゴム９２０がテーブルベッド９１０に垂直な方向よりも３０度傾いている例を示している。このようなクッションゴム９２０が一般的であるが、図３の形状に限定する必要はない。ボールマーカー１００の場合は、２本の棒１２５−１，１２５−２が平行なので、図１のθは、２本の棒１２５−１，１２５−２（傾斜部１２０）の傾きを示すと共に、ボール８００を取出し、戻すことのできる方向の傾きを示している。
【００１７】
図３（Ａ）はボールマーカーでマーキングした様子を示している。図３（Ｂ）はボールを取出す様子を示している。ボール８００のクッションゴム９２０との接点における接平面の傾きをκとすると、θ＞κであればボール８００を容易に取出すこと、戻すことができる。上述の「所定の角度の範囲」は、ボールの規格、クッションゴムの種類を考慮して定めればよい。そして、θをクッションゴム９２０の傾きよりも大きくすれば、ボール８００の大きさによらず、必ず容易に取り出すこと、戻すことができる。例えば、図３のようにクッションゴム９２０の傾きが３０度であれば、２本の棒１２５−１，１２５−２は、テーブルベッド９１０に垂直な方向よりも３０度以上底部１１０側に傾斜させればよい。このようにすれば、ボール８００を、テーブルベッド９１０に垂直な方向よりも傾斜部１２０側に３０度以上傾いた方向に取出すことができる。
【実施例２】
【００１８】
図４に実施例２のボールマーカーの形状を、図５に実施例２のボールマーカーを使っている様子を示す。図４（Ａ），図５（Ａ）は平面図、図４（Ｂ），図５（Ｂ）は左側面図、図４（Ｃ），図５（Ｃ）は正面図である。図５ではボールは点線で示している。
【００１９】
ボールマーカー２００は、底部２１０と傾斜部２２０を備える。底部２１０は、テーブルベッド９１０に接触させる構成部である。傾斜部２２０は、底部２１０に固定され、ボール８００に接触させる構成部である。傾斜部２２０のボール８００が接触する範囲は線状であり、ボール８００と２か所（接触点２２１−１，２２１−２）で接触する。傾斜部２２０は、ボールマーカー２００をテーブルベッド９１０に置いたときに、テーブルベッド９１０に垂直な方向よりも、所定の角度の範囲で底部２１０側に傾斜している。
【００２０】
より具体的には、傾斜部２２０は、一端が底部２１０に固定された平行な２本の棒２２５−１，２２５−２で構成されている。ボールマーカー２００をテーブルベッド９１０に置いたときに、２本の棒２２５−１，２２５−２は、テーブルベッド９１０に垂直な方向（テーブルベッド９１０の面の法線方向）よりも所定の角度の範囲で傾斜している。これらの点は、ボールマーカー１００と共通する点である。傾きθについても実施例１と同じなので説明は省略する。
【００２１】
異なる点は、ボールマーカー２００の底部２１０は、板状であり、Ｖ字の切欠き２１１を有している点である。切欠き２１１があるので、傾斜部２２０がボール８００に接触する位置にボールマーカー２００を配置できる。したがって、ボールマーカー２００もボールマーカー１００と同様の効果が得られる。
【実施例３】
【００２２】
図６に実施例３のボールマーカーの形状を、図７に実施例３のボールマーカーを使っている様子を示す。図６（Ａ），図７（Ａ）は平面図、図６（Ｂ），図７（Ｂ）は左側面図、図６（Ｃ），図７（Ｃ）は正面図である。図７ではボールは点線で示している。
【００２３】
ボールマーカー３００も、底部３１０と傾斜部３２０を備える。底部３１０は、テーブルベッド９１０に接触させる構成部である。傾斜部３２０は、底部３１０に固定され、ボール８００に接触させる構成部である。傾斜部３２０のボール８００が接触する範囲は線状であり、ボール８００と２か所（接触点３２１−１，３２１−２）で接触する。傾斜部３２０は、ボールマーカー３００をテーブルベッド９１０に置いたときに、テーブルベッド９１０に垂直な方向よりも、所定の角度の範囲で底部３１０側に傾斜している。
【００２４】
より具体的には、傾斜部３２０は、一端が底部３１０に固定された同一平面上の２本の棒３２５−１，３２５−２で構成されている。そして、ボールマーカー３００では、２本の棒３２５−１，３２５−２は、底部３１０と反対側の端で繋がっている。図６（Ｂ）に示す角度φは、傾斜部３２０（棒３２５−１，３２５−２）が底部３１０側に傾いている角度を示している。ボールマーカー３００の場合は、２本の棒３２５−１，３２５−２は底部３１０から離れるにしたがって、その間隔が狭くなっている。よって、ボールマーカー３００の場合、ボール８００を取出す方向の傾きθは、角度φよりも小さくなる。
【００２５】
例えばθを３０度にするためには、角度φはこの点を考慮して決める必要がある（角度φは、３０度よりも大きくなる。）。このように、傾斜部３１０は、テーブルベッド９１０に垂直な方向よりも傾斜部３２０側に３０度以上傾いた方向にボール８００を取出すことができるように傾斜させればよい。
【００２６】
図６，７に示したボールマーカー３００では、２本の棒３２５−１，３２５−２は、底部３１０と反対側の端で繋がっている。しかし、ボールマーカー１００，２００のように繋がなくてもよい。繋いだ場合には、強度が向上する効果が期待できる。
【００２７】
ボールマーカー３００は上述のような構成なので、ボールマーカー１００と同様の効果が得られる。なお、ボールマーカー３００を正四面体状にした場合、どの辺も底部にもなり得るし、傾斜部にもなり得る。
【実施例４】
【００２８】
図８に実施例４のボールマーカーの形状を、図９に実施例４のボールマーカーを使っている様子を示す。図８（Ａ），図９（Ａ）は平面図、図８（Ｂ），図９（Ｂ）は左側面図、図８（Ｃ），図９（Ｃ）は正面図である。図９ではボールは点線で示している。
【００２９】
ボールマーカー４００も、底部４１０と傾斜部４２０を備える。底部４１０は、テーブルベッド９１０に接触させる構成部である。実施例２と同じように、Ｖ字の切欠き４１１が形成されている。傾斜部４２０は、底部４１０に固定され、ボール８００に接触させる構成部である。傾斜部４２０のボール８００が接触する範囲は線状であり、ボール８００と２か所（接触点４２１−１，４２１−２）で接触する。傾斜部４２０は、ボールマーカー４００をテーブルベッド９１０に置いたときに、テーブルベッド９１０に垂直な方向よりも、所定の角度の範囲で底部４１０側に傾斜している。
【００３０】
より具体的には、傾斜部４２０は、２枚の板４２５−１，４２５−２で構成されている。ボールマーカー４００をテーブルベッド９１０に置いたときに、２本の板４２５−１，４２５−２の一辺が平行であり、テーブルベッド９１０に垂直な方向（テーブルベッド９１０の面の法線方向）よりも所定の角度の範囲で傾斜している。そして、ボールと接触する接触点４２１-１，４２１-２はこの一辺上に存在する。つまり、２本の板４２５−１，４２５−２の互いに平行な一辺が、ボールマーカー１００，２００の２本の棒１２５−１，１２５−２，２２５−１，２２５−２に相当する。傾きθについては実施例１と同じなので説明は省略する。
【００３１】
ボールマーカー４００はこのような構成なので、ボールマーカー１００と同様の効果が得られる。
【実施例５】
【００３２】
図１０に実施例５のボールマーカーの形状を、図１１に実施例５のボールマーカーを使っている様子を示す。図１０（Ａ），図１１（Ａ）は平面図、図１０（Ｂ），図１１（Ｂ）は左側面図、図１０（Ｃ），図１１（Ｃ）は正面図である。図１１ではボールは点線で示している。
【００３３】
ボールマーカー５００も、底部５１０と傾斜部５２０を備える。底部５１０は、テーブルベッド９１０に接触させる構成部である。傾斜部５２０は、底部５１０に固定され、ボール８００に接触させる構成部である。傾斜部５２０のボール８００が接触する範囲は線状であり、ボール８００と２か所（接触点５２１−１，５２１−２）で接触する。傾斜部５２０は、ボールマーカー５００をテーブルベッド９１０に置いたときに、テーブルベッド９１０に垂直な方向よりも、所定の角度の範囲で底部５１０側に傾斜している。
【００３４】
より具体的には、ボールマーカー５００は側面図において六角形であり、平面図と正面図においては中心部分の方が細くなっている。六角形の一辺が底部５１０であり、一辺が傾斜部５２０である。正六角形の場合、どの辺も底部にも傾斜部にもなり得る。そして、傾斜部５２０になった場合、平面図と正面図においては中心部分の方が細くなっているので、外側のいずれかの位置が接触点５２１−１，５２１−２となる。また、接触点５２１−１，５２１−２となり得る辺同士は平行である。つまり、互いに平行な一辺が、ボールマーカー１００，２００の２本の棒１２５−１，１２５−２，２２５−１，２２５−２に相当する。傾きθについては実施例１と同じなので説明は省略するが、正六角形の場合に図１０のθは３０度である。
【００３５】
ボールマーカー５００はこのような構成なので、ボールマーカー１００と同様の効果が得られる。
【符号の説明】
【００３６】
１００，２００，３００，４００，５００，９００  ボールマーカー
１１０，２１０，３１０，４１０，５１０  底部
１２０，２２０，３２０，４２０，５２０  傾斜部
１２１，２２１，３２１，４２１，５２１  接触点
１２５，２２５，３２５  棒
２１１，４１１  切欠き
４２５  板
８００  ボール
９１０  テーブルベッド
９２０  クッションゴム
【図１】
2017185124.tif 000003
【図２】
2017185124.tif 000004
【図３】
2017185124.tif 000005
【図４】
2017185124.tif 000006
【図５】
2017185124.tif 000007
【図６】
2017185124.tif 000008
【図７】
2017185124.tif 000009
【図８】
2017185124.tif 000010
【図９】
2017185124.tif 000011
【図１０】
2017185124.tif 000012
【図１１】
2017185124.tif 000013
【図１２】
2017185124.tif 000014
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
ビリヤードのボールをマーキングするためのボールマーカーであって、
テーブルベッドに接触させる底部と、
前記底部に固定され、前記ボールに上側を接触させる傾斜部
を有し、
前記傾斜部の前記ボールが接触する範囲は直線状であり、
前記傾斜部は前記ボールと２か所で接触し、
前記傾斜部は、当該ボールマーカーをテーブルベッドに置いたときに、前記テーブルベッドに垂直な方向よりも、所定の角度の範囲で前記底部側に傾斜している
ことを特徴とするボールマーカー。
【請求項２】
請求項１記載のボールマーカーであって、
前記傾斜部は、一端が前記底部に固定された同一平面上の２本の棒で構成されている
ことを特徴とするボールマーカー。
【請求項３】
請求項２記載のボールマーカーであって、
前記２本の棒は、前記底部と反対側の端で繋がっている
ことを特徴とするボールマーカー。
【請求項４】
請求項１から３のいずれかに記載のボールマーカーであって、
前記傾斜部は、前記テーブルベッドに垂直な方向よりも前記傾斜部側に３０度以上傾いた方向に前記ボールを取出すことができるように傾斜している
ことを特徴とするボールマーカー。
【請求項５】
ビリヤードのボールをマーキングするためのボールマーカーであって、
テーブルベッドに接触させる底部と、
一端が前記底部に固定された平行な２本の棒で構成された傾斜部
を有し、
当該ボールマーカーをテーブルベッドに置いたときに、前記２本の棒は、前記テーブルベッドに垂直な方向よりも３０度以上前記底部側に傾斜している
ことを特徴とするボールマーカー。